(57)【要約】【課題】ソケットを骨盤に固定した後に、骨頭となる球状ヘッドをソケットの凹球面部に挿入するタイプの人工関節において、ソケットを骨盤に固定後に球状ヘッドをソケットの凹球面部に容易に挿入でき、一定の抜け防止機能を備えた人工関節用ソケットを提供する。【解決手段】本発明の人工関節用ソケット１３は、骨頭を除去した後の骨盤１９側に装着され、骨側に埋設された人工骨（ステム）のネック部１４に固定された球状ヘッド１１を摺動可能に支持すべく、略半球殻状に造形されており、その特徴としては、１）ソケット１３は、球状ヘッド１１に対して直径赤道面を超えて被るように、球状ヘッドを受け入れる凹球面部１３ａが半球線を超え延在して形成されており、かつ、２）半球殻状の開口側淵部に切り込み溝（３１〜３８）が設けられている構成を有している。【選択図】図３
2010178973.tif 000002
【特許請求の範囲】
【請求項１】
骨頭を除去した後の骨盤側に装着され、骨側に埋設された人工骨（ステム）のネック部に固定された球状ヘッドを摺動可能に支持する、略半球殻状に造形された人工関節用ソケットにおいて、
前記ソケットは、前記球状ヘッドに対して直径赤道面を超えて被るように、前記球状ヘッドを受け入れる凹球面部が半球線を超え延在して形成されており、かつ、半球殻状の開口側淵部に切り込み溝が設けられたことを特徴とする人工関節用ソケット。
【請求項２】
前記切れ込み溝において、溝の幅、溝の深さ、溝の本数、並びに、溝の配置をパラメータとして、前記ソケットの前記開口側淵部の口開き剛性を所定の強さまで低減調整したことを特徴とする請求項１に記載の人工関節用ソケット。
【請求項３】
前記ソケットにおける前記開口側淵部の厚みを、半球殻状に造形された前記ソケット本体よりも小さくしたことを特徴とする請求項１に記載の人工関節用ソケット。
【請求項４】
前記人工関節が人工股関節であり、請求項１〜３のいずれかに記載の人工関節用ソケットを備えた人工股関節。
【請求項５】
請求項１〜３のいずれかに記載の人工関節用ソケットに着脱自在な器具であって、
前記ソケットと螺合し得る螺子部を先端に有する少なくとも２以上のアーム部と、
前記アーム部を保持し得る本体部と、
前記アーム部と前記本体部とを固定する固定手段と、
前記本体部に取り付けられる押し込みガイド部であって、前記ソケットの直径中心に向かって、前記球状ヘッドの中心を前記ソケットの凹球面部に押し込むための前記ステムの押し込みガイド部と、
を備えたことを特徴とする球状ヘッド押し込み器具。
【発明の詳細な説明】
【技術分野】
【０００１】
本発明は、人工関節に関し、特に、脱臼防止機構のついた人工股関節に関するものである。
【背景技術】
【０００２】
関節において、外傷や疾患によって機能障害に陥る場合に人工関節が施される場合がある。人工関節は、関節の種類に応じて、人工股関節、人工膝関節、人工肩関節、人工肘関節および人工足関節等がある。例えば、人工股関節を一例にとって、人工関節の構造について説明する。
【０００３】
この人工股関節１は、一般的には、図１に示されるように、先端に球状ヘッド１１を備えた人工骨（ステム）１２および半球殻状のソケット１３といった構成要素から成る。ステム１２の本体部分は、大腿骨１８の髄腔内に挿入固定される部分であり、ステム１２にはネック部１４が形成されており、この部分に球状ヘッド１１が配置されている。また、ソケット１３は、股関節骨頭を除去した後、寛骨臼１９に装着され、ソケット１３の球殻の内側に球状ヘッド１１が嵌め込まれ、ステム１２はソケット１３の周りで自在回転できるように構成されている。
通常、ステム１２、球状ヘッド１１およびソケット１３は、生体に害のない金属あるいはセラミック材料で形成される（特許文献１、特許文献２を参照）。
【０００４】
このような人工股関節などを生体の骨盤に取り付ける場合、一般的には初めにソケット１３を骨盤の股関節部（おおむね半球状に凹んでいる）に挿入し、螺子固定して、次に球状ヘッド１１をソケット１３に挿入する方法と、球状ヘッド１１をソケット１３に挿入してからソケット１３を固定する方法がある。
前者は、螺子などで固定することができるのに対し、後者はセメントなどの接着剤を用いる。セメントなどの接着剤で固定する場合も、初期に確実な固定が可能な螺子固定が併用されることが多い。
【０００５】
ソケット１３を螺子で骨盤に固定する場合、螺子はソケット１３の内側から骨盤に向かってねじ込む必要があり、球状ヘッド１１は、ソケット１３を骨盤に固定した後に、ソケット１３内の凹球面部１３ａに挿入することになる。この球状ヘッド１１の挿入を容易にするため、ソケット１３の凹球面部１３ａは、半球かそれより浅くなるように形成されている。この結果、球状ヘッド１１はソケット１３の凹球面部１３ａから抜け易く、手術後に筋肉が再生強化されるまでは脱臼しやすいといった問題がある。
かかる脱臼を防止するために、ソケット１３の凹球面部１３ａの淵に円筒形部分を付加することも成されている。
【０００６】
人間用の人工関節の一部にはＣ−リングなどを用いて脱臼を防ぐものもあるが、かかる方法では構造が複雑となり、小型の人工関節には適用し難い問題がある。また、コストもかさむため、人間用の人工関節の場合は、脱臼防止機構は付けず、筋肉が再生強化されるまで手術後の一定期間、安静にすることで対応するケースが多い。
【０００７】
これに対し、犬などの動物の場合、手術後の一定期間を安静にさせることが難しく、この間にソケット１３から球状ヘッド１１が外れる脱臼が頻発する問題がある。
【先行技術文献】
【特許文献】
【０００８】
【特許文献１】特表昭６０−５００６５７号公報
【特許文献２】特開２００８−５４７８８号公報
【発明の概要】
【発明が解決しようとする課題】
【０００９】
かかる状況の下、小型の人工関節にも適用でき、また、子犬などの手術後の一定期間を安静にさせることが難しいケースにおいても、ソケットから骨頭となる球状ヘッドが脱臼するのを防止できる人工関節が切望されており、特に犬などの動物を扱う獣医師からはかかる人工関節とその手術を支援する器具の要望が強い。
【００１０】
上記の事情に鑑みて、本発明は、ソケットを骨盤に固定した後に、骨頭となる球状ヘッドをソケットの凹球面部に挿入するタイプの人工関節において、ソケットを骨盤に固定後に球状ヘッドをソケットの凹球面部に容易に挿入でき、かつ、挿入後はその球状ヘッドがソケットの凹球面部から簡単に抜けない、すなわち、一定の抜け防止機能を備えた人工関節用ソケットを提供することを目的とする。
【００１１】
また、球状ヘッドをソケットの凹球面部に挿入に必要な力または抜く際に必要な力（抜け防止力）を容易に調整可能な人工関節用ソケットを提供することを目的とする。
【課題を解決するための手段】
【００１２】
本発明者は、様々な検討を重ねた結果、本発明に係る人工関節用ソケット及びそれを用いた人工股関節、並びに球状ヘッド押し込み器具を完成した。
すなわち、上記問題を解決すべく、本発明に係る人工関節用ソケットは、
骨頭を除去した後の骨盤側に装着され、骨側に埋設された人工骨（ステム）のネック部に固定された球状ヘッドを摺動可能に支持すべく、略半球殻状に造形されており、
その特徴としては、
１）ソケットは、球状ヘッドに対して直径赤道面を超えて被るように、球状ヘッドを受け入れる凹球面部が半球線を超え延在して形成されており、
かつ、
２）半球殻状の開口側淵部に切り込み溝が設けられている、
構成を有している。
【００１３】
かかる構成によれば、ソケットの球殻の開口側の淵部分に切り込み溝が設けられていることから、ソケットを骨盤に固定した後においても、球状ヘッドをソケットの凹球面部に容易に挿入できる。
その上、ソケットは、球状ヘッドに対して直径赤道面を超えて被るように、球状ヘッドを受け入れる凹球面部が半球線を超え延在して形成されており、ソケットの内側にある球状ヘッドが挿入される凹球面部分の深さを半球より深くとられていることから、挿入した後は、その球状ヘッドがソケットの凹球面部から簡単に抜けることがない。すなわち、一定の抜け防止機能を実現させることができる。
【００１４】
また、上記の本発明の人工関節用ソケットにおいて、その切れ込み溝における溝の幅、溝の深さ、溝の本数、並びに、溝の配置をパラメータとして、ソケットの開口側淵部の口開き剛性を所定の強さまで低減調整できる。
これにより、球状ヘッドをソケットの凹球面部に挿入に必要な力または抜く際に必要な力（抜け防止力）を容易に調整できる。
【００１５】
また、本発明の人工関節用ソケットにおいて、開口側淵部の厚みは、半球殻状に造形されたソケット本体よりも小さくされることが好ましい態様である。
球殻が厚い場合や金属製の外殻を有する場合、相当に深い切り込みを入れることが必要となる。深い切り込みを入れた場合、ソケットと骨盤の密着に悪影響が出る可能性がある。そこで、切り込みのある部分の球殻を薄く、すなわち、ソケットの開口側淵部の厚みを薄くすることにより、口開き剛性を更に効果的に低減できるのである。
【００１６】
また、本発明の他の観点からは、上記の本発明の人工関節用ソケットを利用して、子犬などの手術後の一定期間を安静にさせることが難しいケースにおいても、ソケットから骨頭となる球状ヘッドが脱臼するのを防止できる人工関節、特に、人工股関節が提供される。
【００１７】
また、本発明の他の観点からは、上記の本発明の人工関節用ソケットに着脱自在な器具であって、
１）ソケットと螺合し得る螺子部を先端に有する少なくとも２以上のアーム部と、
２）アーム部を保持し得る本体部と、
３）アーム部と本体部とを固定する固定手段と、
４）本体部に取り付けられる押し込みガイド部であって、ソケットの直径中心に向かって、球状ヘッドの中心をソケットの凹球面部に押し込むためのステムの押し込みガイド部と、
を備えたことを特徴とする球状ヘッド押し込み器具が提供される。
【００１８】
かかる構成の球状ヘッド押し込み器具によれば、球状ヘッドをソケットの凹球面部に挿入する際、若しくは、抜く際に、ソケットが固定されている骨盤に過度の負荷をかけることを回避できる。
また、本体部に取り付けられる押し込みガイド部を介して、確実に、ソケットの凹球面部の中心に向かって、球状ヘッドの中心を挿入することができる。すなわち、球状ヘッドをソケットの凹球面部に容易に挿入できるのである。
このように、上記構成の球状ヘッド押し込み器具は、人工関節の埋め込み施術を支援する器具として活用できるのである。
【発明の効果】
【００１９】
本発明の人工関節用ソケットによれば、脱臼防止機構が付設不可能な小型の人工関節においても、また、子犬などの手術後の一定期間を安静にさせることが難しいケースにおいても、ソケットから骨頭となる球状ヘッドが脱臼するのを防止できるといった効果を有する。
【００２０】
また、本発明の球状ヘッド押し込み器具によれば、人工関節の埋め込み施術の際に、骨盤に過度の負荷をかけることを回避でき、また、確実にソケットの凹球面部の中心に向かって球状ヘッドの中心を挿入するため、球状ヘッドをソケットの凹球面部に容易に挿入できるといった効果を有する。
【図面の簡単な説明】
【００２１】
【図１】人工股関節の説明図である。
【図２】従来の人工関節におけるソケットと球状ヘッドの拡大図である。（１）は球状ヘッドがソケットの凹球面部に挿入された状態の断面模式図であり、（２）は球状ヘッド側から見たソケットの凹球面部の模式図である。
【図３】実施例１の人工関節におけるソケットと球状ヘッドの拡大図である。（１）は球状ヘッドがソケットの凹球面部に挿入された状態の断面模式図であり、（２）は球状ヘッド側から見たソケットの凹球面部の模式図である。
【図４】実施例２の人工関節におけるソケットと球状ヘッドの拡大図である。（１）は球状ヘッドがソケットの凹球面部に挿入された状態の断面模式図であり、（２）は球状ヘッド側から見たソケットの凹球面部の模式図である。
【図５】実施例１の人工股関節用ソケットの正面図である。
【図６】実施例１の人工股関節用ソケットの断面模式図である。
【図７】本発明の球状ヘッド押し込み器具の一実施形態の説明図である。
【発明を実施するための最良の形態】
【００２２】
以下、本発明の実施の形態について、図面を参照しながら詳細に説明していく。
先ず、従来の人工関節用ソケットの一実施形態について、図２を参照して説明する。
通常、人工関節用ソケットは、骨頭（図示せず）を除去した後の骨盤１９側に螺子２０を用いて装着される。ソケット１３を螺子で骨盤に固定するため、螺子２０はソケット１３の内側から骨盤に向かってねじ込んでいる。そして、骨側に埋設された人工骨（ステム）（図１における１２、図２では図示していない。）のネック部１４に固定された球状ヘッド１１を摺動可能に支持するため、ソケット１３は、略半球殻状に造形されている。球状ヘッド１１は、ソケット１３を骨盤に固定した後に、ソケット１３内の凹球面部１３ａに挿入することになる。
【００２３】
従来の人工関節用ソケットの場合、この球状ヘッド１１の挿入を容易にするため、ソケット１３の凹球面部１３ａは、図２（１）に示されるように、半球線のところまで形成されている。この結果、球状ヘッド１１はソケット１３の凹球面部１３ａから抜け易く、手術後に筋肉が再生強化されるまでは脱臼しやすいといった問題がある。上述したように、かかる脱臼を防止するために、ソケット１３の凹球面部１３ａの淵に円筒形部分を付加することも成されている。
【００２４】
一方、本発明の人工関節用ソケットでは、従来の人工関節用ソケットと比較して、主として、１）ソケット１３は、球状ヘッド１１に対して半球線を超えて被るように、球状ヘッドを受け入れる凹球面部１３ａが半球線を超え延在して形成されており、かつ、２）半球殻状の開口側淵部に切り込み溝が設けられている点に特徴がある。
【００２５】
ソケットが、球状ヘッドに対して直径赤道面を超えて被るように、球状ヘッドを受け入れる凹球面部が半球線を超え延在して形成し、球状ヘッドを挿入後、その球状ヘッドがソケットの凹球面部から簡単に抜けることがないようにしている。しかしながら、球状ヘッドを受け入れる凹球面部が半球線を超え延在して形成している場合、球状ヘッドをソケットの凹球面部に容易に挿入できず、またソケットを骨盤に固定した後では更に困難な作業となるため、骨盤に過度の負担をかけることになる。そのため、ソケットの球殻の開口側の淵部分に切り込み溝を設けて、ソケットを骨盤に固定した後においても、球状ヘッドをソケットの凹球面部に容易に挿入できるようにしているのである。
【００２６】
上記内容をより詳細に説明すると、ソケットの凹球面部を、半球線を超え延在形成させることで、球状ヘッドを受け入れるソケット内側の凹球面部を半球より深くすることができ、それにより、球状ヘッドが挿入される半球殻状のソケットの開口部の入り口の半径が球状ヘッドの半径より小さくなるので、一旦、球状ヘッドがソケットの凹球面部に入ると容易には抜けなくなるのである。
【００２７】
一方、ソケットの開口部の入り口の直径は球状ヘッドより小さいので、球状ヘッドを挿入するには開口部の入り口を広げる必要があるが、一定の厚みのある金属製の半球殻状のソケットの開口部の入り口を一定量広げる（口開き）には大きな力が必要である。これは、球殻構造は内部から押し広げる力に対して剛性が高いことに加え、材料である金属の剛性（ヤング率）が大きいためである（口開き剛性）。
【００２８】
この球状ヘッドの挿入は、手術中にソケット内側の凹球面部を骨盤に固定した後に引き続いて行う必要があり、このような環境下ではあまり大きな力は掛けられない。仮に何らかの冶具を使って大きな力が掛けられても、変形は主としてポリエチレンなどの柔らかい素材でできたインナーカップの端部が変形する（つぶれる）モードになり、挿入後に抜けやすくなることは避けられない。
【００２９】
インナーカップの端部がつぶれない程度の力で挿入するには、ソケット内側の凹球面部の深さ増分は極めて僅かなものとなり、加工精度に加え、ソケット、インナーカップの材質の一例であるポリエチレンや、球状ヘッドの材質の一例であるコバルトクロムの熱膨張率の違いや温度変化により、抜けやすくなる可能性もあり、製造や管理は極めて困難になる。
【００３０】
そこで、本発明の人口関節用ソケットでは、半球殻状のソケットの開口側淵部に一定深さ部分に切り込み溝を入れることにより、ソケット内側の凹球面部の淵部の口開き剛性を大幅に低減させることにしたのである。
【００３１】
更に、口開き剛性は、上記の切り込み溝の深さに加え、切り込み溝の本数（切り込み溝の間隔や配置）にも依存する。従って、これらの組み合わせにより、口開き剛性を任意に調整することができるようにしている。適当な本数にすれば切り込み溝の深さは数ｍｍ程度になるので、口開き剛性の調整および管理は容易である。ソケットの深さも大きく取れるのでソケット端部の直径も１ｍｍ程度は小さくなるので温度変化の影響も問題はなくなる。
【００３２】
仮に、上記のような切り込み溝を採用せずに口開き剛性を調整しようとすると、ソケットの淵部の直径を球状ヘッドの直径より極めてわずかだけ大きく保つ必要があり、わずかな加工寸法誤差や温度変動で球状ヘッドの挿入が困難になったり、一旦挿入された球状ヘッドの抜けが発生することになる。
【００３３】
また、インナーカップが薄い場合、その材質であるポリエチレンの低いヤング率とあいまって、インナーカップの剛性は金属製のアウターカップに比べて著しく低くなるため、必ずしもインナーカップには切り込み溝（スリット）を設ける必要はない場合もある。ポリエチレンなどは延性がありすぎて、機械加工で切り込み溝（スリット）を入れようとするとバリが発生してその処置に工数を要するため、インナーカップの切り込み溝（スリット）の加工を省略することは製造上も大いに有意である。
【００３４】
以下の実施例１，２では、本発明の人工関節用ソケットの一実施形態について説明する。また、実施例３では、発明の球状ヘッド押し込み器具の一実施形態について説明する。
なお、以下の実施例は、単に本発明の説明に役立つものであり、本発明はクレームによって定義されるものである。以下に述べる実施例は、本発明の趣旨と範囲から逸脱しないで、様々な変更や代替の実施例について工夫できる。
【実施例１】
【００３５】
図３は、実施例１の人工関節におけるソケットと球状ヘッドの拡大図であり、図３（１）は球状ヘッドがソケットの凹球面部に挿入された状態の断面模式図であり、図３（２）は球状ヘッド側から見たソケットの凹球面部の模式図である。
実施例１の人工関節用ソケット１３は、骨頭を除去した後の骨盤１９側に装着され、骨側に埋設された人工骨（ステム）のネック部１４に固定された球状ヘッド１１を摺動可能に支持すべく、略半球殻状に造形されており、その特徴としては、１）ソケット１３は、球状ヘッド１１に対して直径赤道面を超えて被るように、球状ヘッドを受け入れる凹球面部１３ａが半球線を超え延在して形成されており、かつ、２）半球殻状の開口側淵部に切り込み溝（３１〜３８）が設けられている構成を有している。
【００３６】
実施例１の人工関節用ソケット１３は、従来の人工関節用ソケット（図２参照）に比較して、球状ヘッドを受け入れる凹球面部１３ａが半球線を超え延在して形成されている（１３ｃ）。また、延在して形成された半球殻状の開口側淵部（１３ｄ）に、図３（２）に示されるように、切り込み溝（３１〜３８）が設けられている。
【実施例２】
【００３７】
上記の実施例１の人工関節用ソケットでは、球殻状の厚みが大きい場合や強度な金属製の外殻を有する場合、相当に深い切り込み溝を設けなければならず、ソケットと骨盤の密着に悪影響が出る可能性がある。実施例２では、深い切り込み溝を設けることなく、口開き剛性をさらに効果的に低減できる実施形態について説明する。
【００３８】
図４は、実施例１の人工関節におけるソケットと球状ヘッドの拡大図であり、図４（１）は球状ヘッドがソケットの凹球面部に挿入された状態の断面模式図であり、図４（２）は球状ヘッド側から見たソケットの凹球面部の模式図である。
実施例２の人工関節用ソケット１３は、実施例１の人工関節用ソケットと同様に、骨頭を除去した後の骨盤１９側に装着され、骨側に埋設された人工骨（ステム）のネック部１４に固定された球状ヘッド１１を摺動可能に支持すべく、略半球殻状に造形されており、その特徴としては、１）ソケット１３は、球状ヘッド１１に対して直径赤道面を超えて被るように、球状ヘッドを受け入れる凹球面部１３ａが半球線を超え延在して形成されており、かつ、２）半球殻状の開口側淵部に切り込み溝（４１〜４８）が設けられ、更に、３）ソケット１３における開口側淵部の厚みが、半球殻状に造形されたソケット本体よりも小さくされている構成を有している。
【００３９】
ソケット１３における開口側淵部の厚みを、半球殻状に造形されたソケット本体よりも小さくするとは、具体的には、図４（１）に示すように、ソケット１３における開口側淵部（１３ｆ）を、図３（１）に示される実施例１のソケット１３における開口側淵部（１３ｄ）よりも小さくすることである。開口側淵部の厚みが、半球殻状に造形されたソケット本体よりも小さくなるため、開口側淵部は階段状となる（１３ｅ、１３ｆ、１３ｇ）。
ソケット１３における開口側淵部の厚みを、半球殻状に造形されたソケット本体よりも小さくすることにより、すなわち、切り込み溝を設けるソケット内側の凹球面部の淵部の球殻を薄くすることにより、球殻状の厚みが大きい場合や強度な金属製の外殻を有する場合でも、深い切り込み溝を設けることなく、口開き剛性を効果的に低減するものとしたのである。  
【実施例３】
【００４０】
（球状ヘッド押し込み器具について）
実施例３では、球状ヘッド押し込み器具について説明する。図７は、本発明の球状ヘッド押し込み器具の一実施形態の説明図である。
図７に示すように、球状ヘッド押し込み器具１００は、本発明の人工関節用ソケットに着脱自在な器具であって、
（１）ソケット１３と螺合し得る螺子部（８３，９２）を先端に有する２本のアーム部（８１，９１）と、
（２）２本のアーム部（８１，９１）を保持し得る本体部１０１と、
（３）２本のアーム部（８１，９１）と本体部１０１とを固定する固定手段である締め付けボルト（８４，８５，９４，９５）と、
（４）本体部１０１に取り付けられる押し込みガイド部であって、ソケット１３の直径中心に向かって、球状ヘッド１１の中心をソケット１３の凹球面部１３ａに押し込むためのステムの押し込みガイド部（１０２，１０３，１０４）により構成される。
【００４１】
球状ヘッド押し込み器具によれば、球状ヘッド１１をソケット１３の凹球面部１３ａに挿入する際、若しくは、抜く際に、ソケット１３が固定されている骨盤（図示せず）に過度の負荷をかけることを回避でき、また、本体部１０１に取り付けられる押し込みガイド部（１０２，１０３，１０４）を介して、確実に、ソケット１３の凹球面部１３ａの中心に向かって、球状ヘッド１１の中心を挿入することができる。
球状ヘッド押し込み器具を利用することで、球状ヘッド１１をソケット１３の凹球面部１３ａに容易に挿入可能となる。
【００４２】
（他の実施例）
（１）上述の実施例では、ソケットの開口側淵部に設ける切り込み溝を８本にしているが、口開き剛性の要求に応じて、また切り込み溝の深さ、溝の間隔、溝の配置、溝の形状との関係で自由に設計することができる。また、ソケット自体の形状によっても、切り込み溝の本数、溝の深さ、溝の間隔、溝の配置、溝の形状を自由に設計できる。図５および図６には、ソケット１３自体の形状が半球殻状の上端部がカットされた形状のもの、その形状のソケットに７本の切り込み溝（５１〜５７）を設けた実施形態を示す。
（２）上述の実施例では、初めにソケットを骨盤に挿入し、螺子固定して、次に球状ヘッドをソケットに挿入する方法に用いる人工関節用ソケットとして説明しているが、本発明の人工関節用ソケットは、球状ヘッドをソケットに挿入してからソケットを接着剤などで固定する方法に用いてもかまわない。
【産業上の利用可能性】
【００４３】
本発明は、人工股関節や人工肩関節、また、それらの施術の支援器具として有用である。
【符号の説明】
【００４４】
１      人工股関節
１１    球状ヘッド
１２    ステム（人工骨）
１３    ソケット
１３ａ  凹球面部
１４    ネック部
１８    大腿骨
１９    骨盤（寛骨臼）
２１    螺子頭部
３１〜３８，４１〜４８，５１〜５７  切り込み溝
８１，９１  アーム部
１００  球状ヘッド押し込み器具
１０１  本体部
【図１】
2010178973.tif 000003
【図２】
2010178973.tif 000004
【図３】
2010178973.tif 000005
【図４】
2010178973.tif 000006
【図５】
2010178973.tif 000007
【図６】
2010178973.tif 000008
【図７】
2010178973.tif 000009